(57)【特許請求の範囲】
【請求項１】
アイコンを表示するタッチパネルと、
前記アイコンの表示領域の周辺に配置されており、ユーザから入力を受け付ける複数の入力受付手段と、
前記複数の入力受付手段の中から、前記ユーザから入力を受け付けた一の入力受付手段を判断する判断手段と、
前記一の入力受付手段の配置位置から遠い領域に表示されるアイコンほど大きくなるように前記アイコンの形態を変更する表示制御手段と、
を備えている携帯端末。
【請求項２】
前記表示制御手段は、前記アイコンの形態を、前記表示領域に対する前記一の入力受付手段の配置位置の方向と平行な方向に沿って伸縮する、
請求項１に記載の携帯端末。
【請求項３】
前記入力受付手段は、前記タッチパネルにおいて、前記表示領域の外側に表示されるアイコンである、
請求項１または２に記載の携帯端末。
【請求項４】
前記表示制御手段は、前記一の入力受付手段の配置位置から遠い領域に表示されるアイコンほど濃くなるように前記アイコンの濃度を調整する、
請求項１〜３の何れか１項に記載の携帯端末。
【請求項５】
前記判断手段は、前記一の入力受付手段への入力回数をカウントし、
前記表示制御手段は、前記入力回数に基づいて、前記アイコンの伸縮の度合いおよび前記アイコンの濃淡の度合いの少なくとも一方を調整する、
請求項１〜４の何れか１項に記載の携帯端末。
【請求項６】
前記表示制御手段は、前記アイコンの形態を伸縮した後、前記タッチパネルへの接触を所定時間検知しない場合、当該アイコンの形態を伸縮前の状態に戻す、
請求項１〜５の何れか１項に記載の携帯端末。
【請求項７】
前記表示制御手段は、前記アイコンの形態を伸縮した後、前記入力受付手段への入力を所定時間以上継続して検知した場合、当該アイコンの形態を伸縮前の状態に戻す、
請求項１〜６の何れか１項に記載の携帯端末。
【請求項８】
アイコンを表示するタッチパネルを備えた携帯端末における画面表示変更方法であって、
アイコンの表示領域の周辺に配置された複数の入力受付手段が、ユーザからの入力を受け付ける受付ステップと、
判断手段が、前記複数の入力受付手段の中から、前記受付ステップにおいてユーザから入力を受け付けた一の入力受付手段を判断する判断ステップと、
表示制御手段が、前記一の入力受付手段の配置位置から遠い領域に表示されるアイコンほど大きくなるように前記アイコンの形態を変更する表示制御ステップと、
を含んでいる画面表示変更方法。
【発明の詳細な説明】
【技術分野】
【０００１】
本発明は、携帯端末および画面表示変更方法に関する。
【背景技術】
【０００２】
タッチパネルを介して表示部に表示されるアイコン等をタッチすることにより所定の機能を起動させるタッチパネル式の携帯端末が知られている。このような携帯端末において、ユーザがタッチパネルを介して入力をする際の操作性を向上させるための技術が開示されている。例えば、特許文献１では、表示部が配置された本体部を傾斜させた場合において、表示部の傾斜角度によって表示部の視認性および操作性が低下することを防止するための技術が開示されている。
【先行技術文献】
【特許文献】
【０００３】
【特許文献１】特開２０１０−２５６４６０号公報
【発明の概要】
【発明が解決しようとする課題】
【０００４】
これらのタッチパネル式の携帯端末は、例えば満員電車の中等、ユーザのスペースが限定されるような状況であっても使用されている。このとき、ユーザは、表示部を正面からだけでなく、上方や側方等、あらゆる方向から表示部を閲覧して操作することが考えられる。ところが、特許文献１の技術では、表示部が傾いた場合に、表示部を正面から見たときのアイコンの形態を適切に変更することはできるものの、表示部を正面以外から見た場合については考慮されていない。このため、このような状況で上記従来の携帯端末を使用する場合には、ユーザは、目の錯覚により誤って意図しないアイコンに触れてしまうことがある。
【０００５】
本発明は、このような課題を解決するために成されたものであり、ユーザの意図しないアイコンに触れることを防止することができる携帯端末および画面表示変更方法を提供することを目的とする。
【課題を解決するための手段】
【０００６】
上記課題を解決するため、本発明の携帯端末は、アイコンを表示するタッチパネルと、アイコンの表示領域の周辺に配置されており、ユーザから入力を受け付ける複数の入力受付手段と、複数の入力受付手段の中から、ユーザから入力を受け付けた一の入力受付手段を判断する判断手段と、一の入力受付手段の配置位置から遠い領域に表示されるアイコンほど大きくなるようにアイコンの形態を変更する表示制御手段と、を備えている。
【０００７】
また、本発明の画面表示変更方法は、アイコンを表示するタッチパネルを備えた携帯端末における画面表示変更方法であって、アイコンの表示領域の周辺に配置された複数の入力受付手段が、ユーザからの入力を受け付ける受付ステップと、判断手段が、複数の入力受付手段の中から、受付ステップにおいてユーザから入力を受け付けた一の入力受付手段を判断する判断ステップと、表示制御手段が、一の入力受付手段の配置位置から遠い領域に表示されるアイコンほど大きくなるようにアイコンの形態を変更する表示制御ステップと、を含んでいる。
【０００８】
この発明では、複数の入力受付手段の中から入力を受け付けた一の入力受付手段を判断することで、表示変更手段がアイコンの表示変更をするにあたっての基準となる位置を特定している。そして、同じ大きさの物でも、視点から遠い物ほど小さくみえるという遠近法効果による錯覚を考慮し、一の入力受付手段の配置位置から遠い領域に表示されるアイコンほど大きくなるように当該アイコンの形態を変更している。これにより、タッチパネルには上記遠近法効果による目の錯覚を補正した状態のアイコンが表示されるので、ユーザが意図しないアイコンに触れてしまうことを防止することができる。
【０００９】
また、本発明の携帯端末では、表示制御手段は、アイコンの形態を、表示領域に対する一の入力受付手段の配置位置の方向と平行な方向に沿って伸縮してもよい。
【００１０】
この発明では、例えば、アイコン表示領域の上側に配置された入力受付手段が入力を受け付けたとすると、アイコン表示領域から見た当該入力受付手段の配置位置の方向と平行な方向、すなわち上下方向に沿ってアイコンの形態を伸縮する。これにより、アイコンは、アイコン表示領域の上側に配置された入力受付手段から遠い領域に表示されるものほど、上下方向に長くなるように変更される。この結果、上記遠近法効果による目の錯覚を補正した状態のアイコンを表示することができる。
【００１１】
また、本発明の携帯端末では、入力受付手段は、タッチパネルにおいて、表示領域の外側に表示されるアイコンとしてもよい。これにより、入力受付手段を容易に形成することができる。
【００１２】
また、本発明の携帯端末では、表示制御手段は、一の入力受付手段の配置位置から遠い領域に表示されるアイコンほど濃くなるようにアイコンの濃度を調整してもよい。
【００１３】
この発明においては、表示制御手段が、タッチパネルを所定位置から見た場合の視認性を考慮し、アイコンの濃淡を調整している。これにより、所定位置からタッチパネルを見た場合のアイコンの視認性を向上させることができる。
【００１４】
また、本発明の携帯端末では、判断手段は、一の入力受付手段への入力回数をカウントし、表示制御手段は、この入力回数に基づいて、アイコンの伸縮の度合いおよびアイコンの濃淡の度合いの少なくとも一方を調整してもよい。
【００１５】
この発明では、表示制御手段は、同一の入力受付手段に対して入力される回数が多くなるほど、伸縮の度合いが大きくなるようにアイコンの表示形態を調整したり、濃淡の度合いが大きくなるようにアイコンの濃淡を調整したりできる。これにより、タッチパネルに対するユーザの視点位置や、ユーザ毎に異なる見え方の違いを考慮して、より適切にアイコンの表示形態を変更することが可能となる。
【００１６】
また、本発明の携帯端末では、表示制御手段は、アイコンの形態を伸縮した後、タッチパネルへの接触を所定時間検知しない場合、当該アイコンの形態を伸縮前の状態に戻してもよい。
【００１７】
また、本発明の携帯端末では、表示制御手段は、アイコンの形態を伸縮した後、入力受付手段への入力を所定時間以上継続して検知した場合、当該アイコンの形態を伸縮前の状態に戻してもよい。
【００１８】
これにより、アイコンの形態を補正する前の通常の表示に戻す操作の手間を省くことができる。
【発明の効果】
【００１９】
本発明の携帯端末および画面表示変更方法によれば、ユーザの意図しないアイコンに触れることを防止することができる。
【図面の簡単な説明】
【００２０】
【図１】本実施形態に係る携帯端末を示す外観図である。
【図２】図１に示す携帯端末の機能構成を示すブロック図である。
【図３】図１に示す記憶部に格納されている情報テーブルを説明する図である。
【図４】図１に示す携帯端末のハードウェア構成を示す図である。
【図５】アイコンの表示制御の流れを示したフローチャートである。
【図６】アイコンの変更の一例を説明するための図である。
【図７】他の実施形態に係る携帯端末を示す外観図である。
【図８】アイコンの変更の一例を説明するための図である。
【発明を実施するための形態】
【００２１】
添付図面を参照しながら本発明の実施形態を説明する。可能な場合には、同一の部分に同一の符号を付して、重複する説明を省略する。図１は、本実施形態に係る携帯端末を示す外観図である。図２は、図１の携帯端末の機能構成を示すブロック図である。また、説明中「上」、「下」、「左」、「右」等の方向を示す語は、図面に示された状態に基づいた便宜的な語である。
【００２２】
携帯端末１は、図１および図２に示すように、タッチパネル１１、入力受付部（入力受付手段）１２、記憶部１３および制御部２０を備えている。
【００２３】
タッチパネル１１は、筺体２の一方の表面に配置されており、入出力の機能を兼ね備えた電子部品である。タッチパネル１１は、不図示のタッチパネル制御部によってタッチパネル１１への入力や出力が制御される。タッチパネル１１が受け付ける入力としては、指やタッチパネル用のペン等を利用したユーザによるタッチパネル１１上の接触が挙げられる。また、タッチパネル１１が行う出力としては、アイコン４１をタッチパネル１１上に表示させたり、文字や画像等の視覚的なコンテンツをタッチパネル１１上に表示させたりすることが挙げられる。タッチパネル制御部は、受け付けた入力を制御部２０に送信したり、表示制御部２２からの出力を受信したりする。
【００２４】
タッチパネル１１は、第１表示領域（アイコンの表示領域）１１ａと、第１表示領域１１ａの外側周辺に形成された第２表示領域１１ｂとを有している。第１表示領域１１ａには、一般的な操作受付のためのアイコン４１が表示される。第２表示領域１１ｂには、後述する入力受付部１２としてのアイコン１２ａ〜１２ｄが表示される。
【００２５】
入力受付部１２は、ユーザからタッチパネル１１に対するユーザの視点位置の入力を受け付ける部分である。本実施形態の携帯端末１では、入力受付部１２は、タッチパネル１１の第２表示領域１１ｂに表示されるアイコン１２ａ〜１２ｄとして形成されている。入力受付部１２としてのアイコン１２ａ〜１２ｄ（以下、入力アイコン１２ａ〜１２ｄと称す）は、図１に示すように、矩形形状を有するタッチパネル１１の周辺部に配置されており、タッチパネル１１の４辺にそれぞれ対応して配置されている。入力アイコン１２ａ〜１２ｄは、ユーザによってタッチされたことを検知すると、図２に示す制御部２０に含まれる判断部２１に対して検知信号を出力する。
【００２６】
入力アイコン１２ａ〜１２ｄは、半透明の状態で常に表示されている。このように常に表示される入力アイコン１２ａ〜１２ｄを半透明の状態に表示することで、ユーザの目障りとなることを防止している。また、入力アイコン１２ａ〜１２ｄを表示する第２表示領域１１ｂと、その他一般的な操作受付のためのアイコン４１を表示する第１表示領域１１ａとはそれぞれ独立しているので、互いに重なって表示されることはない。
【００２７】
記憶部１３は、携帯端末１における各種データを記憶する部分である。例えば、記憶部１３は、アイコン４１の形態を変更する度合い（縮小／拡大、濃淡）を導き出すための情報テーブル（図３（ａ）参照）を記憶している。この情報テーブルについては後段にて詳述する。
【００２８】
制御部２０は、携帯端末１の各機能を制御する部分であり、例えばタッチパネル１１、入力受付部１２および記憶部１３を制御している。制御部２０は、その機能の一つとして、遠近法効果による目の錯覚を補正した状態のアイコンをタッチパネルに表示する機能がある。制御部２０は、当該機能を実現するための主な機能的構成要素として、判断部（判断手段）２１および表示制御部（表示制御手段）２２を有している。
【００２９】
判断部２１は、複数の入力アイコン１２ａ〜１２ｄの中から、ユーザから入力を受け付けた一の入力アイコンを判断する部分である。例えば、判断部２１は、４つの入力アイコン１２ａ〜１２ｄのうち第１表示領域１１ａの外側上方に配置された入力アイコン１２ａからの検知信号を受信することによって、入力アイコン１２ａが入力を受け付けたアイコンであると判断する。判断部２１は、この入力を受け付けたアイコンに関する情報を表示制御部２２に出力する。
【００３０】
また、判断部２１は、複数の入力アイコン１２ａ〜１２ｄのうち、入力がされたと判断された一の入力アイコンへの入力回数をカウントする部分でもある。判断部２１は、所定時間内に同一の入力アイコンから出力される信号を受信して、その受信回数をカウントする。
【００３１】
表示制御部２２は、判断部２１によって判断された一の入力アイコンの配置位置から遠いタッチパネル１１の領域に表示されるアイコン４１ほど大きくなるように当該アイコン４１の形態を変更する部分である。具体的には、表示制御部２２は、判断部２１から入力を受け付けたアイコンに関する情報を受信すると、記憶部１３に格納されている図３（ａ）に示すような関係を示す情報テーブルを参照する。
【００３２】
次に、表示制御部２２は、図３（ａ）に示すような関係を示す情報テーブル、すなわち、ユーザにより入力された一の入力アイコン（入力アイコン１２ａ〜１２ｄのうちの１つ）の配置位置からの距離に基づいて、第１表示領域１１ａに表示されているアイコン４１の形態を変更する。入力アイコン１２ａがタッチされたとして具体的に説明すると、表示制御部２２は、入力アイコン１２ａの配置位置から近いアイコン４１の上下方向における長さをデフォルトの長さと比べて縮め、入力アイコン１２ａの配置位置から遠いアイコン４１の上下方向における長さをデフォルトの長さと比べて伸ばす。なお、デフォルトとは、表示制御部２２によって伸縮される前の基準となるアイコン４１の表示形態をいう。
【００３３】
図４は、携帯端末のハードウェア構成を示す図である。携帯端末１は、図４に示すように、オペレーティングシステムやアプリケーションプログラムなどを実行するＣＰＵ３１、ＲＯＭおよびＲＡＭで構成される主記憶部３２、ハードディスク、メモリ等で構成される補助記憶部３３、各種キーボタン、タッチパネル１１等の入力部３４、タッチパネル１１等の出力部３５で構成される。上述した制御部２０における各機能は、ＣＰＵ３１および主記憶部３２に所定のソフトウェアを読み込ませ、ＣＰＵ３１の制御の下で、タッチパネル１１に情報を表示させたり、入力受付部１２において入力される情報を読み込んだり、主記憶部３２および補助記憶部３３に対してデータの読み書きを実行させたりすることで実現される。
【００３４】
以下、本実施形態の特徴部分であるアイコンの形態を変更する際の処理（画面表示変更方法）について、図５を用いて説明する。図５は、携帯端末におけるアイコンの表示制御の流れを示したフローチャートである。
【００３５】
携帯端末１では、システム起動時から、入力アイコン１２ａ〜１２ｄへの入力が可能な状態となっている。このような携帯端末１において、まず入力アイコン１２ａ〜１２ｄが、ユーザからの入力を受け付ける（Ｓ１：受付ステップ）。入力アイコン１２ａ〜１２ｄは、ユーザによる当該アイコン１２ａ〜１２ｄへのタッチを検知すると、制御部２０に入力を受け付けたことを示す検知信号を送信する。
【００３６】
次に、判断部２１は、入力アイコン１２ａ〜１２ｄのいずれか１つから上記検知信号を受信すると、当該検知信号を送信した入力アイコンがユーザによって入力されたアイコンであると判断する（Ｓ２：判断ステップ）。以下、ユーザが、図１に示すタッチパネル１１の周囲に配置されている４つの入力アイコン１２ａ〜１２ｄのうち、入力アイコン１２ａをタッチしたとして説明する。このとき、判断部２１は、入力アイコン１２ａから受信した検知信号に基づいて、当該入力アイコン１２ａをユーザから入力された入力アイコンであると判断する。判断部２１は、この入力アイコン１２ａに関する情報を表示制御部２２に出力する。
【００３７】
次に、判断部２１は、所定時間内に入力アイコン１２ａがタッチされた回数をカウントする（Ｓ３）。判断部２１は、このタッチされた回数に関する情報を表示制御部２２に出力する。
【００３８】
次に、表示制御部２２は、判断部２１からこの入力アイコン１２ａに関する情報およびタッチされた回数に関する情報を受信すると、これらの情報に基づいてタッチパネル１１に表示されているアイコン４１の形態を変更する（Ｓ４：表示制御ステップ）。
【００３９】
具体的には、表示制御部２２は、判断部２１から上記情報を受信すると、記憶部１３に記憶されている図３（ａ）に示すような関係を示す情報テーブルにアクセスして、アイコン４１の形態の伸縮度合いを決定する。例えば、表示制御部２２が、判断部２１から出力された「入力アイコン１２ａへのタッチがあり、その回数は１回である」という情報を受信したとすると、図３（ａ）に示すような関係を示す情報テーブルに基づいて、タッチパネル１１の上方に表示されているアイコン４１をデフォルトのサイズよりも縮める。また、タッチパネル１１の下方に表示されているアイコン４１はデフォルトのサイズよりも伸ばす。このようにして、図６（ａ）に示すように、この入力アイコン１２ａの配置位置から遠いタッチパネル１１の領域に表示されるアイコン４１ほど大きくなるようにアイコン４１の形態が変更される。
【００４０】
図３（ａ）に示すような関係を示す情報テーブルに基づけば、入力アイコン１２ａへの入力の回数が多くなるほど、伸縮の度合いを大きくしたアイコン４１の形態に変更することもできる。例えば、入力アイコン１２ａへの入力の回数が１回のときは、図６（ａ）に示すようなアイコン４１の形態に、入力アイコン１２ａへの入力の回数が３回のときは、図６（ｂ）に示すようなアイコン４１の形態に、それぞれ変更することが可能となる。これにより、タッチパネル１１に対するユーザの視点位置や、ユーザ毎に異なる見え方の違いを考慮して、より適切にアイコン４１の形態を調整することが可能となる。
【００４１】
表示制御部２２が、アイコン４１の形態を変更する際には、第１表示領域１１ａから見た入力アイコン１２ａの方向と平行な方向に沿ってアイコン４１の形態を伸縮することができる。例えば、第１表示領域１１ａの上側に配置されている入力アイコン１２ａがタッチされた場合には、上下方向に沿ってアイコン４１の形態を伸縮してもよい。この結果、タッチパネル１１に表示されるアイコン４１の形態は、図１に示すアイコン４１の形態から図６（ａ）に示すようなアイコン４１の形態に変更される。
【００４２】
表示制御部２２が、タッチパネル１１に表示されているアイコン４１の形態を変更すると、図示しないタイマーが起動し、アイコン４１の表示変更からの経過時間が計測される（Ｓ５）。そして、表示制御部２２は、タッチパネル１１へのタッチが検知されない時間が所定時間続いた場合（Ｓ５：ＹＥＳ）、タッチパネル１１に表示されるアイコン４１の形態を伸縮前の状態に戻す（Ｓ６）。本実施形態においては、タッチパネル１１へのタッチを所定時間検知しない場合、自動的にアイコン４１の形態を変更する前の通常の表示に戻すので、元に戻す操作の手間を省くことができる。
【００４３】
以上に説明したように、本実施形態の携帯端末１によれば、入力受付部１２としての複数の入力アイコン１２ａ〜１２ｄの中から入力を受け付けた一の入力アイコンを判断することで、表示制御部２２がアイコン４１の表示変更をするにあたっての基準となる位置を特定している。つまり、ユーザがどの方向からタッチパネル１１を見ているのかを間接的に判断し、アイコンの表示形態を変更する際の判断材料としている。そして、遠近法効果による錯覚を考慮し、一の入力アイコンの配置位置から遠い領域に表示されるアイコン４１ほど大きくなるようにアイコン４１の形態を変更している。これにより、タッチパネル１１には、例えば図６（ａ）に示すような、遠近法効果による目の錯覚を補正した状態でアイコン４１が表示されるので、ユーザが意図しないアイコン４１に触れてしまうことを防止することができる。
【００４４】
以上、本発明をその実施形態に基づいて詳細に説明した。しかし、本発明は上記実施形態に限定されるものではない。本発明は、その要旨を逸脱しない範囲で以下のような様々な変形が可能である。
【００４５】
上記実施形態の携帯端末１では、入力受付部１２としての入力アイコン１２ａ〜１２ｄがタッチパネル１１の周辺に４つ配置されている例を挙げて説明したがこれに限定されるものではない。例えば、図７に示すように、タッチパネル１１の周辺に８つの入力アイコン１２ａ〜１２ｈを配置してもよい。この場合には、第１表示領域１１ａに対する入力アイコン１２ａ〜１２ｈの配置位置が、上下左右方向だけでなく、右斜め上、右斜め下、左斜め下、左斜め上方向にあることを特定することができ、これらの配置位置に基づいて、より適切にアイコン４１の形態を変更することができる。
【００４６】
また、表示制御部２２がアイコン４１の形態を変更するにあたっては、図７に示すように、上下方向に伸縮するだけでなく、左右方向に伸縮することも可能である。図７は、ユーザによって入力アイコン１２ａがタッチされたときに、表示制御部２２が変更するアイコン４１の表示形態の一例を示している。
【００４７】
また、上記実施形態の携帯端末１では、記憶部１３には、図３（ａ）に示すような関係を示す情報テーブルが格納されている例を挙げたが、例えば、図３（ｂ）に示すような関係を示す情報テーブルが格納されていてもよい。すなわち、ユーザにより入力された一の入力アイコン（入力アイコン１２ａ〜１２ｄのうちの一つ）の配置位置からの距離に基づいて、第１表示領域１１ａに表示されているアイコン４１の濃淡を調整するという関係を示す情報テーブルが格納されていてもよい。
【００４８】
この情報テーブルに基づけば、表示制御部２２は、例えば図８（ａ）に示すように、アイコン４１の表示形態を伸縮することに加えて、入力アイコン１２ａの配置位置から近い領域にあるアイコン４１を薄く表示し、入力アイコン１２ａの配置位置から遠い領域にあるアイコン４１を濃く表示するように変更することができる。なお、アイコン４１の表示濃度を変更するにあたっては、図３（ｂ）に示す関係のようにデフォルト（元の状態）から薄くなるような変更はされないように設定することができる。これにより、所定位置からタッチパネル１１を見た場合のアイコン４１の視認性を向上させることができる。
【００４９】
また、上記実施形態と同様に、図３（ｂ）に示すような関係を示す情報テーブルに基づけば、入力アイコン１２ａ〜１２ｄへの入力の回数が多くなるほど、例えば図８（ｂ）に示すような、濃淡の度合いを大きくしたアイコン４１の形態に変更することもできる。これにより、タッチパネル１１に対するユーザの視点位置や、ユーザ毎に異なる見え方の違いを考慮して、より適切にアイコン４１の形態を調整することが可能となる。
【００５０】
また、上記実施形態の携帯端末１では、所定時間内に一の入力アイコン（例えば入力アイコン１２ａ）にタッチされた回数をカウントし、この回数に基づいて補正の度合いを変更する例を挙げて説明したがこれに限定されるものではない。例えば、表示制御部２２によるアイコン４１の変更後に入力アイコン（例えば入力アイコン１２ａ）へタッチされたことを検知し、累積的な検知の回数（タッチの回数）をカウントし、この回数に基づいて補正の度合いを変更してもよい。これにより、アイコン変更後に、もう一度入力アイコン（例えば入力アイコン１２ａ）をタッチすることによりアイコン４１の補正の度合いを大きくすることができる。
【００５１】
上記実施形態の携帯端末１では、入力受付部１２を入力アイコン１２ａ〜１２ｄによって構成する例を挙げて説明したが、これに限定されるものではなく、例えば、入力ボタン、検知センサ等によって構成してもよい。
【００５２】
上記実施形態の携帯端末１では、アイコンの変更処理においてタッチパネル１１へのタッチが検知されない時間が所定時間続いた場合、タッチパネル１１に表示されるアイコン４１の形態を伸縮前の状態に戻す例を挙げて説明した。アイコン４１の形態を伸縮前の状態に戻す方法としては、例えば、入力アイコン１２ａ〜１２ｄの何れか１つを長押し（例えば２秒）することによって実現してもよい。この場合、判断部２１が入力アイコン１２ａ〜１２ｄへの入力を所定時間以上継続して検知した場合、それを当該入力アイコン１２ａ〜１２ｄへの長押しと判断して、この旨を伝える信号を表示制御部２２に出力する。表示制御部２２は、この信号を受信すると、タッチパネル１１に表示されるアイコン４１の形態をデフォルトの状態に戻す。
【符号の説明】
【００５３】
１…携帯端末、２…筺体、１１…タッチパネル、１１ａ…第１表示領域（アイコンの表示領域）、１１ｂ…第２表示領域、１２…入力受付部（入力受付手段）、１２ａ…入力アイコン、１３…記憶部、２０…制御部、２１…判断部（判断手段）、２２…表示制御部（表示制御手段）、３１…ＣＰＵ、３２…主記憶部、３３…補助記憶部、３４…入力部、３５…出力部、４１…アイコン。
【図２】
0005557780.tif 000002
【図３】
0005557780.tif 000003
【図４】
0005557780.tif 000004
【図５】
0005557780.tif 000005
【図１】
0005557780.tif 000006
【図６】
0005557780.tif 000007
【図７】
0005557780.tif 000008
【図８】
0005557780.tif 000009